(57)【要約】      （修正有）【課題】バストを寄せて持ち上げ、両バスト横の脇下部分に贅肉のたるみが生じるのを防止すること及び着用者が窮屈感を生じることなく、快適に着用できるようなブラジャーを提供する。【解決手段】ブラジャーにおいて、カップ部１を有しブラジャー脇下を通り左右背部の結合部にいたるブラジャー本体４に、カップ部下方を被覆しながら脇下を通り左右背部の結合部にいたる連続する伸縮性編地よりなる補正布７をブラジャー本体に重ね、伸縮性編地のカップ部下方被覆部分上縁のみを縫着することなく伸縮性編地をブラジャー本体に縫着した。【選択図】図１
0003164036.tif 000002
【実用新案登録請求の範囲】
【請求項１】
ブラジャーにおいて、カップ部を有しブラジャー脇下を通り左右背部の結合部にいたるブラジャー本体に、両カップ部上端に連結されるストラップの連結部に上端が縫着され、カップ部下方を被覆して脇下を通り左右背部の結合部にいたる連続する伸縮性地よりなる補正布をブラジャー本体に重ね、補正布のカップ部下方被覆部分上縁をブラジャー本体に縫着することなくブラジャー本体を覆い、カップ部下方被覆部分上縁以外の補正布周縁をブラジャー本体に縫着したことを特徴とするブラジャー。
【請求項２】
カップ部下方を被覆しながら脇下を通り左右背部の結合部にいたる連続する補正布は、カップ部下方において、カップ部凸状面に沿った形状とされている請求項１に記載のブラジャー。
【請求項３】
補正布は、縦横両方向に大きい伸縮性を有する伸縮性地である請求項１または請求項２に記載のブラジャー。
【請求項４】
補正布が、通気性を有するものである請求項１乃至請求項３のいずれかに記載のブラジャー。 
【考案の詳細な説明】
【技術分野】
【０００１】
本考案は、ブラジャーのカップ下から脇下を通りバック部に至る部分を連続した補正布で覆うことにより、一体的な補正効果を有するように構成したブラジャーに係る。
【背景技術】
【０００２】
胸部は女性の身体を表す最も特徴的な部位であり、ブラジャーは、近年年齢を問わず女性にとって必要不可欠な肌着となっている。ブラジャーは、胸部の外観をいかに豊富に美しい曲線を保つように出来るかという女性消費者の願望を解決するために種々の提案がなされ、従来はいかに胸を豊満に見せるかに焦点がおかれていた。近年、若い世代の体格向上、及び、広い年齢層の需要を満たすために、胸の豊満さよりも如何に胸部を美しく整えるかが重要となり種々の提案がなされている。
【０００３】
例えば、特開平１０−０９６１０４号では、バスト脇側の膨出部を横切って少なくともストラップ位置まで延在する側部切替部を備え、側部切替部をストラップにより上向きおよび前向きに引張して、バスト脇側を側部切替部で上向きおよび前向きに面的に押圧して、補整するブラジャーが開示されている（特許文献１）。また、実用登録第３１１８０２９号では、左右のカップは、それぞれの外側に側強化締めつけシートが設けられ、左右の側強化締めつけシートは、シート同士が前面の調整部位によって連結して、左右側強化締めつけシートの緊張度を調整するブラジャーが開示されている（特許文献２）。
しかしながら、特開平１０−０９６１０４号に記載のブラジャーは、両バストを前部中央に寄せる効果は期待できるが、バスト全体を下から持ち上げる効果は不十分である。一方、実用登録第３１１８０２９号に記載のブラジャーは、左右の側強化締め付けシートは、脇下線から左右カップ下を支持するものであるので、バストの持ち上げ効果は期待できるが脇下部分の補正効果は不十分である。 
【先行技術文献】
【特許文献】
【０００４】
【特許文献１】特開平１０−０９６１０４号公報
【特許文献２】実用登録第３１１８０２９号公報
【考案の概要】
【考案が解決しようとする課題】
【０００５】
本考案は、バストを寄せて持ち上げると共に、両バスト横の脇下部分に贅肉のたるみが生じるのを防止すること、及び着用者が窮屈感を生じることなく、快適に着用できるようなブラジャーを提供することを目的とする。
【課題を解決するための手段】
【０００６】
本考案は、ブラジャーにおいて、カップ部を有しブラジャー脇下を通り左右背部の結合部にいたるブラジャー本体に、両カップ部上端に連結されるストラップ連結部に上端が縫着され、カップ部下方を被覆して脇下を通り左右背部の結合部にいたる連続する伸縮性編地よりなる補正布をブラジャー本体に重ね、補正布はカップ部下方被覆部分の上縁では縫着されることなくブラジャー本体を覆い、それ以外の部分の伸縮性編地よりなる補正布をブラジャー本体に縫着した。カップ部下方を被覆しながら脇下を通り左右背部の結合部にいたる連続する補正布は、カップ部下方において、カップ部凸状面に沿った形状にされていることが好ましい。補正布は、縦横両方向に大きい伸縮性を有する伸縮性地であり、通気性を有するものを用いることが好ましい。
【考案の効果】
【０００７】
本考案によるブラジャーは、デザイン的にも極めてシンプルで美的なものであり、しかも、ブラジャー本体下方に、胸部下方を覆い乳房を保持すると共に、脇下部分のたるみを補正する連続した伸縮性編地よりなる補正布を設けたことにより、特定の身体部分に圧迫感を与えることなく乳房を引き上げ、バスト及びバスト両脇部を整える効果を有する。
【図面の簡単な説明】
【０００８】
【図１】本考案のブラジャー前面を示す正面図である。
【図２】本考案のブラジャーの裏面を示す背面図である。
【考案を実施するための形態】
【０００９】
本考案のブラジャーは、ブラジャーの前身頃カップ下方部分から後身頃にいたる、連続して胸部周囲を覆う伸縮性編地等よりなる補正布を設け、乳房の保持と同時に脇下のたるみを押さえるように構成したことを特徴とするものである。
【００１０】
ブラジャーのカップ１，１は、特に限定されることはない。図１に示したブラジャーにおいては一体成形のパッドよりなるカップが用いられている。カップ１，１は図１及びブラジャー裏面を示す図２のように、常法によってブラジャーの土台布２にカップ部１，１の下縁３，３が縫着されてブラジャー本体４が形成されている。ブラジャーは、図面では長さ調節機能部材５，５を有するストラップ６，６が設けられているが、ストラップは必須ではなく、ノンストラップのブラジャーであっても良い。
【００１１】
本考案ブラジャーの特徴は、上記のように伸縮性地よりなる補正布７を設けたことにある。補正布７は、伸縮性のある編み地等であることが好ましく、縦横両方向、特に横方向に大きい伸縮性を有する編地を使用し、更に、通気性を有するパワーネット地を用いることも好ましい。
この補正布７は、上部端はバストカップ１，１上端のストラップ６，６の縫着部９，９に縫着され、左右一対のカップ部１，１の凸面形状に沿い、カップ部１，１に縫着されることなく遊離した状態でカップの下方部分を保持するように覆い、ブラジャーの脇下部分を経てブラジャーの後部接合部片８，８に至る連続した布片として設けられる。補正布７は、カップの下方部分を保持するように覆い、ブラジャーの脇下を経て後部接合部片８，８に縫着される。補正布７の下部端はブラジャー本体４の下端縁１０でブラジャー土台布２体と結合される。したがって、本考案のブラジャーは、ブラジャーのカップ１，１の上方ふくらみ部分を除いて、ブラジャー表面を連続した伸縮性を有する補正布７で覆って構成される。
【００１２】
図２に本考案のブラジャー裏面を示す。ブラジャーのカップ部１，１はブラジャー土台布２に縫着され、土台布２は上端のストラップ６，６の縫着部９，９よりブラジャーの脇下を経て後部接合部片８，８に補正布７と共に縫合される。同様にブラジャー土台布２の下端縁１０も伸縮性テープ１１，１１によって，補正布７と共に縫合される。したがって、本考案においては、補正布７はブラジャーのカップ１，１の下方部分、ブラジャー袖刳下から後部接合部片８に至る部分は、周縁のみがブラジャー本体４に縫着され、その他の部分は、ブラジャー本体４から遊離の状態とされている。
【００１３】
また、常法によりブラジャー４の形状を保つために脇下に切り替えを設け、又は設けずしてセルボーンを設けて、脇下の矯正を補助することも出来る。更に、補正布７についても、脇下で切り替えることは任意である。本考案によるブラジャーは、デザイン的にも極めてシンプルで美的なものであり、しかも、連続して胸部下方を覆い、乳房を寄せて保持し、脇下を引き締める伸縮性編地を設けたことにより、特定の身体部分に圧迫感を与えることなく乳房を引き上げ、バストを整える効果を有する。
【産業上の利用可能性】
【００１４】
本考案は、形状が複雑ではなく縫製が容易であり、しかもブラジャーの下方を覆う伸縮性編地を補正布として使用し、胸元から除いているカップ部と異なる色彩に構成することによって、美観を有するブラジャーとする事もできる。しかも、本考案によるブラジャーは、締め付け力の大きい部分を有せずにフィット性が優れているので、年齢に関係なく全ての女性にとって使用可能なブラジャーである。
【符号の説明】
【００１５】
１    カップ部
２    土台布
３    カップ下縁縫着部
４    ブラジャー本体
５    長さ調節機能部材
６    ストラップ
７    補正布
８    後部接合部片
９    ストラップ縫着部
１０  土台布下端縁
１１  伸縮性テープ 
【図１】
0003164036.tif 000003
【図２】
0003164036.tif 000004